(57)【要約】  本発明は、コンピュータ周辺機器の待機電力遮断装置を提供する。その装置は、コンピュータ本体からモニタに提供される水平/垂直同期信号の有無を感知し、それによってスイッチング制御信号を出力する同期信号感知コントローラと、外部電源の提供を受けて前記コンピュータ周辺機器に電源を供給する電源供給経路に設置され、スイッチング制御信号に従って該当経路を導通又は遮断する構成を有する電源スイッチング部を含む。
2013517553.tif 000002
【特許請求の範囲】
【請求項１】
コンピュータ周辺機器の待機電力遮断装置であって、
コンピュータ本体からモニタに提供される水平/垂直同期信号の有無を感知し、それによってスイッチング制御信号を出力する同期信号感知コントローラと、
外部電源の提供を受けて前記コンピュータ周辺機器に電源を供給する電源供給経路に設置され、前記スイッチング制御信号に従って該当経路を導通又は遮断する構成を有する電源スイッチング部を含むことを特徴とする待機電力遮断装置。
【請求項２】
前記電源スイッチング部は、
前記電源供給経路を導通又は遮断する第１のリレーと、
前記第１のリレーと接続して前記コンピュータ周辺機器のコネクタに接続される第１のコンセントを含むことを特徴とする請求項１に記載の待機電力遮断装置。
【請求項３】
前記同期信号感知制御部と前記電源スイッチング部は、前記コンピュータ本体の内部に設置されることを特徴とする請求項１又は２に記載の待機電力遮断装置。
【請求項４】
前記同期信号感知制御部は、
前記水平/垂直同期信号の有無を感知して制御する制御部と、
前記マイコン制御によって前記電源スイッチング部の第１のリレーを駆動する第１のスイッチングトランジスタと、
を含むことを特徴とする請求項３に記載の待機電力遮断装置。
【請求項５】
前記同期信号感知コントローラと前記電源スイッチング部は、前記コンピュータ本体の外部に追加的に設置され、
前記コンピュータ本体から前記モニタに信号提供のためのコネクタにケーブルを介して接続されるコネクタと、モニタのコネクタにケーブルを介して接続されるコネクタとを備え、前記コンピュータ本体から供給される信号を前記モニタにそのまま転送する構成を有することを特徴とする請求項２に記載の待機電力遮断装置。
【請求項６】
前記同期信号感知コントローラは、
前記水平/垂直同期信号の有無を感知して制御する制御部と、
前記マイコンの制御によって前記電源スイッチング部の第１のリレーを駆動する第１のスイッチングトランジスタと、
を含むことを特徴とする請求項５に記載の待機電力遮断装置。
【請求項７】
前記電源スイッチング部は、前記第１のリレー及び前記第２のリレーと並列に連結される第２のリレー及び第２のコンセントの接続回路をさらに含み、
前記同期信号感知コントローラは、前記制御部の制御によって前記電源スイッチング部の第２のリレーを駆動する第２のスイッチングトランジスタをさらに含み、
前記第１のリレーは、デエナジャイズ状態で遮断状態を維持し、前記第２のリレーはデエナジャイズ状態で導通状態を維持する構成を有することを特徴とする請求項６に記載の待機電力遮断装置。
【請求項８】
前記同期信号感知コントローラは、前記コンピュータ本体から提供される電源を前記制御部の第２の入力として提供又は遮断する共有モード選択スイッチを備え、
前記マイコンは、前記共有モード選択スイッチの操作状態を追加的に考慮して前記第２のスイッチングトランジスタを制御することを特徴とする請求項７に記載の待機電力遮断装置。
【請求項９】
前記外部電源の提供を受けて前記コンピュータ本体が連結されるコンピュータ電源コンセントと、
前記制御部及び内部機能部に動作電源を提供するための電源部と、
前記コンピュータ電源コンセント及び前記電源部に、前記外部電源の供給経路に設置されて前記制御部の制御及び外部スイッチング操作に従って該当経路を導通又は遮断する電源遮断部と、をさらに含み、
前記同期信号感知コントローラは、前記制御部の制御によって前記電源遮断部を駆動する第３のスイッチングトランジスタをさらに含み、
前記マイコンは、前記コンピュータ本体から提供される電源を第１の入力として提供を受ける構成をさらに有し、その感知有無を通じて前記コンピュータ本体の電源オン/オフ状態を感知して前記第３のスイッチングトランジスタをさらに制御することを特徴とする請求項６乃至８のいずれか１項に記載の待機電力遮断装置。
【請求項１０】
前記電源遮断部は、リモートで電源を供給するためのリモートスイッチを備え、
前記リモートスイッチは、
前記外部スイッチング操作を受けるためのノブと、
前記ノブが押されることによって電源経路の接点が連結されて電源を導通させるプレートと、
前記制御部の制御による前記第３のスイッチングトランジスタの駆動に従って内部電源の提供を受けて前記プレートが前記接点と離れるようにして電源を遮断させるソレノイドと、
を含むことを特徴とする請求項９に記載の待機電力遮断装置。
【発明の詳細な説明】
【技術分野】
【０００１】
本発明は、コンピュータが電源オフ状態または節電モードでコンピュータ周辺機器(モニタ、プリンタ、スピーカーなど)で無駄に浪費される消費電力または待機電力を遮断するための待機電力遮断装置に関するものである。
【背景技術】
【０００２】
一般的に、コンピュータには多様な周辺機器が連結されるが、このようなコンピュータ周辺機器の中にはコンピュータが節電モードとなる場合、節電のために自体的に電力を遮断する機能が具備される装置が提供されている。例えば、モニタは、節電モードで画面を消して消費電力が１５Ｗ程度消費されるように低減し、コンピュータが電源オフ状態となる場合にはモニタの機能を停止し、待機状態となる。このとき、消費される待機電力は、通常、およそ４Ｗが浪費される。また、プリンタも常に４Ｗ程度の電力が消耗される。
【０００３】
このように、従来の技術では、コンピュータ周辺装置においてコンピュータが節電モードで不必要な電力の浪費を減少させるために最小の電力を消費させ、あるいはコンピュータ電源がオフされる場合に最小限の待機電力を消費し、それによってこのような待機電力が常に消費されているという問題点があった。
【発明の概要】
【発明が解決しようとする課題】
【０００４】
したがって、本発明は、上記した従来技術の問題点に鑑みてなされたものであって、その目的は、コンピュータの節電モード又は電源オフ状態でコンピュータ周辺機器の電源を遮断して浪費される消費電力及び待機電力をプラグを抜くことなく、ゼロにして浪費される待機電力を遮断させる装置を提供することにある。
【課題を解決するための手段】
【０００５】
コンピュータ本体は、グラフィックコントローラで赤色Ｒ、緑色Ｇ、青色Ｂの映像信号と、水平/垂直同期信号(Ｈ/Ｖ  ＳＹＮＣ)などをモニタにケーブルを介して伝送するが、節電モードでは水平/垂直信号(Ｈ/Ｖ  ＳＹＮＣ)のうちいずれか一つの信号を伝送せずにコンピュータを電源オフとする場合にはこれら信号ともを伝送しない。
【０００６】
上記のような目的を達成するために、本発明によるコンピュータ周辺機器の待機電力遮断装置は、このような節電モードまたはコンピュータの電源オフ状態で、水平/垂直同期信号(Ｈ/Ｖ  ＳＹＮＣ)が発生しないことを感知する同期信号感知コントローラをコンピュータの内部または外部に備え、同期信号を感知するか否かによってコンピュータ周辺機器に電源を供給/遮断する電源供給経路を導通又は遮断する電源スイッチング部を備え、周辺機器の電源を電源スイッチング部を通じて供給する構成からなることを特徴とする。
【発明の効果】
【０００７】
本発明は、コンピュータが節電モード又は電源オフ状態で水平/垂直同期信号が出力されないことを感知して周辺機器が接続された電源スイッチング部を制御して節電モードで電源オフ状態で周辺機器の電源を遮断することによって、周辺機器で浪費される電力を０Ｗに遮断して電力の浪費を低下する効果がある。
【図面の簡単な説明】
【０００８】
【図１】本発明の第１の実施形態によるコンピュータ周辺機器の待機電力遮断装置を含むコンピュータ本体及び周辺機器を示すブロック構成図である。
【図２】本発明の第２の実施形態によるコンピュータ周辺機器の待機電力遮断装置を含むコンピュータ本体及び周辺機器を示すブロック構成図である。
【図３】図１又は図２における同期信号感知コントローラと電源スイッチング部の一例を詳細に示す回路構成図である。
【図４】本発明の第３の実施形態によるコンピュータ周辺機器の待機電力遮断装置の要部を詳細に示す回路構成図である。
【発明を実施するための形態】
【０００９】
以下、本発明による望ましい実施形態を添付の図面を参照して詳細に説明する。
【００１０】
次の説明において、コンセント、トランジスタ、マイクロコンピュータ(以下、“マイコン”と称する)のような特定構成要素は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。
【００１１】
図１は、本発明の第１の実施形態によるコンピュータ周辺機器の待機電力遮断装置を含むコンピュータ本体及び周辺機器を示すブロック構成図である。本発明の一実施形態による待機電力遮断装置は、コンピュータ本体１０の内部で設けられる同期信号感知コントローラ１２及び電源スイッチング部２０で実現される。図１を参照すると、まずコンピュータ本体１０は、中央処理処置(ＣＰＵ)１６と、赤色Ｒ、緑色Ｇ、青色Ｂの映像信号と、水平/垂直同期信号(Ｈ/Ｖ  ＳＹＮＣ)及びモニタ設定信号(ＤＤＣ-Ｃ１)をモニタ５０に出力するグラフィックコントローラ１１と、キーボードのような入力装置４０に接続されて入力装置４０からの入力信号を処理するＩ/Ｏコントローラ１３と、システム運営体系又はこれに基づいた複数のアプリケーションプログラムを格納するハードディスクドライブ(ＨＤＤ)１９と、これらを相互に連結するシステムバス１５と、コンピュータ本体１０の内部の各機能部及び外部に接続される周辺装置に必要な電源を供給する電源部１４とを含む。
【００１２】
このような構成において、本発明の特徴によって追加して備えられる同期信号感知コントローラ１２は、節電モードと電源オフ状態を水平/垂直同期信号(Ｈ/Ｖ  ＳＹＮＣ)の有無で感知し、それによって電源スイッチング部２０のスイッチング制御のためのスイッチング制御信号を出力する。
【００１３】
電源スイッチング部２０は、電源部１４でコンピュータ周辺機器に電源を供給する電源供給経路に設置され、スイッチング制御信号に従って該当経路を導通又は遮断する構成を有し、それによって周辺機器の電源を電源スイッチング部を通じて供給する。電源スイッチング部２０は、周辺機器(モニタ、プリンタ、スピーカーなど）の電源を供給/遮断するリレー１８と、周辺機器電源供給コネクタに接続されるコンセント１７で構成され、コンピュータ本体１０の所定位置に設置される。
【００１４】
一方、モニタ５０は、コンピュータ本体１０に備えられるコネクタ１００とモニタ５０に備えられるコネクタ２００に接続ケーブル８０を介して接続されて信号を受信するように構成され、コンピュータ本体１０に備えられるコネクタ４００とプリンタ６０に備えられるコネクタ５００を接続ケーブル７０を通じて連結してコンピュータ本体１０とプリンタ６０との間で信号を伝送するように構成される。
【００１５】
図２は、本発明の第２の実施形態によるコンピュータ周辺機器の待機電力遮断装置を含むコンピュータ本体及び周辺機器を示すブロック構成図である。本発明の他の実施形態による待機電力遮断装置３００は、コンピュータ本体１０の外部に加えて設置される装置で実現される。このような構成では、コンピュータ本体１０は、従来の構成と同一であり、商用の製品をそのまま利用することが可能である。
【００１６】
図２を参照すると、待機電力遮断装置３００は、コンピュータ本体１０のグラフィックコントローラ１１でモニタ５０に送信される赤色Ｒ、緑色Ｇ、青色Ｂの映像信号と水平/垂直同期信号(Ｈ/Ｖ  ＳＹＮＣ)、電源＋５Ｖの信号及びモニタ設定信号(ＤＤＣ-Ｃ１)の提供を受けるように構成される。このために、コネクタ２００は、コンピュータ本体１０のコネクタ１００とケーブル８０を介して接続される。また、コネクタ６００は、コンピュータ本体１０から供給される信号をモニタ５０にそのまま伝送するために、モニタ５０のコネクタ７００とケーブル８０を介して接続される。
【００１７】
このような待機電力遮断装置３００は、その内部にコンピュータ本体１０の節電モードと電源オフ状態を水平/垂直同期信号(Ｈ/Ｖ  ＳＹＮＣ)の有無で感知し、それによって電源スイッチング部２０のスイッチング制御のためのスイッチング制御信号を出力する同期信号感知コントローラ１２を備える。
【００１８】
また、待機電力遮断装置３００に備えられる電源スイッチング部２０は、外部電源を受信してコンピュータ周辺機器に電源を供給するためのコンセント１７と、外部電源とコンセント１７との間の電源供給経路に提供され、スイッチング制御信号に従って該当経路を導通又は遮断する構成を有するリレー１８とを含む。
【００１９】
図３は、図１又は図２における同期信号感知コントローラ１２と電源スイッチング部２０の一例を詳細に示す回路構成図である。図３を参照すると、同期信号感知コントローラ１２は、水平/垂直同期信号(Ｈ/Ｖ  ＳＹＮＣ)の有無を感知して制御するマイコン１９(すなわち、制御部)と、マイコン１９の制御に基づいて電源スイッチング部２０のリレー１８を駆動するスイッチングトランジスタＱ１とから構成される。このような構成の例としては、図示のように、リレー１８のコイルの一端は、５Ｖの電源を受けて他端はスイッチングトランジスタＱ１のコレクタ端に接続される構成を有する。スイッチングトランジスタＱ１のベース端は、マイコンの制御を受けるためにマイコンの出力と接続され、エミッタ端は接地端と接続される構造を有することができる。電源スイッチング部２０のリレー１８は、外部電源とコンセント１７との間の一つの経路に設置され、設置された経路を導通又は遮断する構造を有する。
【００２０】
図１乃至図３を参照して、本発明による動作を詳細に説明すると、コンピュータ本体１０のグラフィックコントローラ１１から水平/垂直同期信号(Ｈ/Ｖ  ＳＹＮＣ)のうちいずれか一つも出力されず、それによって同期信号感知コントローラ１２のマイコン１９は、予め定められた一定時間Ｔ(例えば、約５〜１０秒に設定)の間に信号がないと、節電モード又は電源オフ状態と見なす。以後、スイッチングトランジスタＱ１をターンオフして電源スイッチング部２０のリレー１８をオープンさせ、コンピュータ周辺機器に供給される電源コンセント１７をオープンさせて周辺機器に接続される電源を全く遮断して節電モード又は待機モードで浪費される電力を防止する。
【００２１】
また、コンピュータ本体１０のグラフィックコントローラ１１から水平/垂直同期信号(Ｈ/Ｖ  ＳＹＮＣ)が正常に出力されると、同期信号感知コントローラ１２のマイコン１９は、スイッチングトランジスタＱ１をターンオンさせて電源スイッチング部２０のリレー１８をターンオン状態としてコンピュータ周辺機器に供給される電源コンセント１７に電源を供給して周辺機器が正常動作するように制御する。このとき、コンピュータ本体１０からモニタ５０に送られる映像信号は、そのままモニタ５０に転送されるので、モニタ５０は、正常的な映像ディスプレイ動作を遂行する。
【００２２】
図４は、本発明の第３の実施形態によるコンピュータ周辺機器の待機電力遮断装置の要部を詳細に示す回路構成図である。図４を参照すると、本発明の第３の実施形態によるコンピュータ周辺機器の待機電力遮断装置３０１は、第２の実施形態と同様にコンピュータ本体１０の外部で別途に構成される構造を有し、同様にコンピュータ本体１０からモニタ５０に提供される映像信号、同期信号を中継する構成を有する。図４では、説明の便宜のためにこのような構成は省略する。
【００２３】
図４を参照すると、本発明の第３の実施形態による待機電力遮断装置３０１は、同期信号感知コントローラ１２２、電源スイッチング部１７、電源遮断部４０２、電源部４０３、及びコンピュータ電源コンセント３０を備える。
【００２４】
電源スイッチング部１７は、図３に示す構成と多少類似した第１のリレー１８及び第１のコンセント１７が備えられ、その上、第２のリレー３５及び第２のコンセント３４の接続回路が並列にさらに追加される構成を有する。また、同期信号感知コントローラ１２２は、第１のリレー１８を駆動するための第１のスイッチングトランジスタＱ１とともに、第２のリレー３５を駆動するための第２のスイッチングトランジスタＱ２がさらに備えられる。このような第１及び第２のスイッチングトランジスタＱ１、Ｑ２は、各々マイコン１９の第１の出力Ｏ１と第２の出力Ｏ２から出力される制御信号を各々受信するように構成される。このとき、第１のリレー１８は、デエナジャイズ(de-energize)状態の場合に遮断状態を維持し、第２のリレー３５は、デエナジャイズ状態の場合に導通状態を維持する構成を有するように実現される。
【００２５】
上記した構成は、第２のリレー３５に接続されている第２のコンセント３４に他のコンピュータと共有して使用できる周辺機器、すなわちプリンタを接続する場合に適用するために望ましい構成であって、マイコン１９は、コンピュータ本体の節電モード及び/又は電源オフ状態でも第１のコンセントに接続された周辺機器とは別途に、第２のコンセントに接続されたプリンタの動作電源は遮断せずにそのまま置くことができる。このとき、本発明の特徴により、コンピュータ本体から提供される５Ｖの電源をマイコン１９の第２の入力Ｉ２に提供又は遮断する(ユーザー操作が可能なように設置される)、いわば、共有モード選択スイッチ３６を備える。このような共有モード選択スイッチ３６の操作状態に従ってマイコン１９で第２のコンセント３４に連結されるプリンタの動作電源を遮断するか否かを選択するように構成できる。この構成を通じて、例えば、数台のコンピュータに一つのプリンタを共有して使用する場合、特定のコンピュータが待機モードにあっても他のコンピュータはプリンタ使用が可能である。
【００２６】
一方、本発明の第４の実施形態による待機電力遮断装置３０１は、コンピュータ本体の電源オフ状態でコンピュータ自体の待機電力を全く遮断し、コンピュータ本体の電源オン状態ではリモコンでコンピュータに電源を供給する構成をさらに具備できる。このような構成のために、まず、コンピュータ本体の電源がオフされることを感知するようにコンピュータ本体から提供される＋５Ｖの電源をマイコン１９の第１の入力Ｉ１に提供する構成を有する。コンピュータ本体から＋５Ｖの電源が感知されないと、マイコン１９は、コンピュータ本体が電源オフ状態にあると判断する。
【００２７】
また、待機電力遮断装置３０１は、外部電源(ＡＣ電源）を受けてコンピュータ本体が連結されるコンピュータ電源コンセント３０及びマイコン１９及び機能部に動作電源(ＶＣＣ)を提供する電源部４０３を設置し、コンピュータ電源コンセント３０及び電源部４０３に外部電源の供給経路に設置されて該当経路を導通又は遮断する電源遮断部４０２を備える。
【００２８】
電源遮断部４０２は、リモートで電源を投入するための手段であるリモートスイッチ３２を備え、リモートスイッチ３２は、電源をオン状態にするためのノブ３３と、このノブ３３を押さえると、プレート３７が接点Ｃ２，Ｃ３を連結して電源が導通されるようにし、電源を遮断するためにはマイコン１９の制御による第３のスイッチングトランジスタの駆動に従って内部電源(ＶＣＣ）の供給を受けてプレートを接点と離隔させて電源遮断を遂行するソレノイドＳ１，Ｓ２で構成される。このとき、同期信号感知コントローラ１２２は、ソレノイドを駆動するための第３のスイッチングトランジスタＱ３がさらに具備され、ソレノイドの一端Ｓ１は、第３のスイッチングトランジスタＱ３のコレクタに接続され、他端は内部の動作電源(ＶＣＣ)の提供を受けるように実現される。
【００２９】
以下、図４に示す構成を有する本発明の第３の実施形態による待機電力遮断装置の動作をより詳細に説明する。まず、プリンタを共有して使用する場合、共有モード選択スイッチ３６がオン状態であるので、マイコン１９の入力Ｉ２は‘ハイ’となり、この場合、コンピュータ本体が節電モードである場合にもマイコン１９は、出力Ｏ２を‘ロー’に維持して第２のリレー３５がデエナジャイズされて第２のコンセント３４に電源がその通り供給されるため、プリンタの電源は遮断されない。
【００３０】
このとき、他の周辺機器に対してはマイコン１９の出力Ｏ１が‘ロー’となり、第１のスイッチングトランジスタＱ１がターンオフされ、第１のリレー１８は、デエナジャイズされて第１のコンセント１７への電源供給を遮断する。
【００３１】
このような状態で、コンピュータが正常モードとなると、マイコン１９の第２の出力Ｏ２を‘ロー’状態に維持し、第２のリレー３５がデエナジャイズされてプリンタコンセント３４に電源がそのまま供給されてプリンタの電源を遮断しない状態を維持する。このとき、他の周辺機器に対して、マイコン１９は、第１の出力Ｏ１が‘ハイ’となって第１のトランジスタＱ１がターンオン状態となり、第１のリレー１８がエナジャイズされて第１のコンセント１７に電源を供給して、周辺装置に電源が供給されるようにする。
【００３２】
一方、プリンタを共有しない場合、共有モード選択スイッチ３６が‘オフ’状態であり、マイコン１９の入力Ｉ２は‘ロー'となり、この場合、コンピュータが節電モードになると、マイコン１９は、第２の出力Ｏ２を'ハイ'にして第２のスイッチングトランジスタＱ２をターンオンさせ、第２のリレー３５をエナジャイズさせてコンセント３４に供給される電源を遮断する。
【００３３】
このとき、他の周辺機器に対して、マイコン１９は、第１の出力Ｏ１を‘ロー’状態にして、第１のスイッチングトランジスタＱ１がターンオフされ、第１のリレー１８がデエナジャイズされて第１のコンセント１７への電源供給を遮断する。
【００３４】
以後、コンピュータ本体が正常モードになると、マイコン１９は、第２の出力Ｏ２を‘ロー’状態にして第２のリレー３５がデエナジャイズされるようにし、第２のコンセント３４に電源をそのまま供給させることで、プリンタの電源が遮断されないようにする。
【００３５】
このとき、他の周辺機器は、マイコン１９の出力Ｏ１が'ハイ'となり、トランジスタＱ１がターンオンされてリレー１８がエナジャイズされ、コンセント１７に電源を供給して周辺装置へ電源が供給される。
【００３６】
一方、コンピュータの待機電力を全く遮断するためには、コンピュータの電源が‘オフ’状態になると＋５Ｖが出力されず、マイコン１９は、第１の入力Ｉ１が‘ロー’状態であることを感知し、コンピュータの電源が‘オフ’状態であると判断する。以後、マイコン１９は、第３の出力Ｏ３を‘ハイ’にして第３のスイッチングトランジスタＱ３をターンオンさせ、電源遮断部４０２のリモートスイッチ３２のソレノイドＳ１，Ｓ２に電流が流れるようにする。また、マイコン１９は、プレート３７が接点Ｃ２，Ｃ３から分離されるようにすることによって、電源遮断部４０２で電源供給を遮断してコンピュータの待機電力までも全く遮断する。
【００３７】
その後、コンピュータの電源を入れる場合にはユーザーが操作しやすい所に位置するようにケーブルで連結される電源遮断部４０２のリモートスイッチ３２のノブ３３がユーザーにより押されると、プレート３７は、接点Ｃ２，Ｃ３に接続されて電源を供給する。それによって、電源部４０３は、マイコン１９に動作電源を提供し、コンピュータ電源コンセント３０を通じてコンピュータ本体に電源が提供されて以後の正常動作を可能にする。
【００３８】
このとき、マイコン１９は、予め定められた一定時間Ｔ１(例えば、５〜１０秒)でコンピュータを入れない場合、すなわち、コンピュータ本体から提供される動作電源５Ｖが一定時間Ｔ１で提供されない場合、コンピュータを使用しようとしないと判断し、上記のようにコンピュータの電源が‘オフ’状態であると判断した動作を遂行することができる。
【００３９】
一方、上記でリモートスイッチ３２は、例えば、本願出願人により先出願されて特許登録された韓国特許出願第２００９-７２０１６号の“待機電力遮断装置及びその制御方法”（出願日：２００９年８月５日)に開示されているスイッチ構造を有することもできる。
【００４０】
また、上記では、図４に示す待機電力遮断装置３０１がコンピュータ本体１０の外部に別途に構成されることについて説明したが、本発明の他の実施形態では、このような構成を変形してコンピュータ本体１０の内部に構成することができる。このような場合、図４に示すコンピュータ電源コンセント３０を設置する必要なく、電源部４０３は、マイコン１９及び上記の機能部だけでなく基本的にコンピュータ本体１０自体の動作電源を提供するようにさらに構成することができる。
【００４１】
また、上記のように、同期信号感知コントローラ１２内では、マイコン１９自体が制御部の役割を遂行することを説明したが、その他にもデジタル方式では、例えば水平/垂直同期信号(Ｈ/Ｖ  ＳＹＮＣ)検出機能を遂行する別途のチップ、すなわち‘シリコンイメージ（Silicon Image）’社のグラフィックレシーバ(DVI  Receiver)チップをマイコン１２の前端に備え、これを通じて水平/垂直同期信号(Ｈ/Ｖ  ＳＹＮＣ）の有無を検出するように制御部を実現することもできる。
【００４２】
上記したように、本発明の実施形態により、コンピュータの節電モード及びオフモードで自動で電源を遮断する待機電力遮断装置の構成で動作を遂行することができる。 
【００４３】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００４４】
１０  コンピュータ本体
１１  グラフィックコントローラ
１２、１２２  同期信号感知コントローラ
１３  Ｉ/Ｏコントローラ
１４  電源部
１５  システムバス
１６  中央処理部
１７  コンセント
１８、３５  リレー
１９  ハードディスクドライブ、マイコン
２０  電源スイッチング部
３０  コンピュータ電源コンセント
３２  リモートスイッチ
３３  ノブ
３６  共有モード選択スイッチ
３７  プレート
４０  入力装置
５０  モニタ
３００、３０１  待機電力遮断装置
２００、４００、５００、６００、７００  コネクタ
４０２  電源遮断部
Ｃ１、Ｃ２、Ｃ３  接点
Ｑ１、Ｑ２、Ｑ３  スイッチングトランジスタ
Ｓ１、Ｓ２  ソレノイド
Ｔ１  一定時間
【図１】
2013517553.tif 000003
【図２】
2013517553.tif 000004
【図３】
2013517553.tif 000005
【図４】
2013517553.tif 000006
【国際調査報告】
2013517553.tif 000007
2013517553.tif 000008
2013517553.tif 000009
2013517553.tif 000010